(57)【特許請求の範囲】
【請求項１】
一端に歯ブラシのハンドル部（２２）が接続可能な電動歯ブラシ部において、前記ブラシ部は、他端に配置されたブリストルキャリアを備え、
前記ブリストルキャリア（４４）は、前記ブリストルキャリア（４４）の上側を通る回転軸（５０）の回りを回転できるように前記ブラシ部に取り付けられ、前記回転軸は前記ブラシ部（２４）の中心縦軸に対し一定角度で配列され、
前記ブリストルタフト（６０，６２，７２，７４）は、前記上側中央の少なくとも中央リング（５４）上および前記上側周辺の外部リング（５６）上に、それぞれ配置され、
前記外部リング（５６）は、前記ブラシ部（２４）の前記中心縦軸（５２）に沿って正反対に配置された２つのセクタ（６８）を備え、
前記２つのセクタ（６８）には隣接した長いブリストルタフト（６０）が配置され、
前記外部リング（５６）上の前記２つのセクタ（６８）以外の領域には前記長いブリストルタフト（６０）より短いブリストルタフト（６２）が配置され、前記中央リング（５４）には前記長いブリストルタフト（６２）より短いブリストルタフト（７２，７４）のみが配置されていることを特徴とする前記ブラシ部。
【請求項２】
前記外部リング（５６）と前記中央リング（５４）上の短い前記ブリストルタフト（６２，７２，７４）は、等しい長さである、請求項１に記載のブラシ部。
【請求項３】
長いブリストルタフト（６０）と短いブリストルタフト（６２）のクラスタ（６４，６６）は、各々がブリストルキャリア（４４）のセクタ（６８，７０）内に配列されていることを特徴とする、請求項１または２に記載のブラシ部。
【請求項４】
４つのセクタ（６８，７０）は、約６０度から約１２０度の範囲の中心角で備え付けられていることを特徴とする、請求項３記載のブラシ部。
【請求項５】
長短ブリストルタフト（６０，６２）は、それぞれが点対称の位置に相対するセクタ（６８，７０）内に配置されていることを特徴とする、請求項３または４記載のブラシ部。
【請求項６】
短いブリストルタフト（６２）は、約７．５ｍｍ±０．２ｍｍから０．５ｍｍの長さのブリストルを有し、長いブリストルタフト（６０）は、約８．２ｍｍ±０．２ｍｍから０．５ｍｍの長さを有することを特徴とする、請求項１乃至５のいずれか一項に記載のブラシ部。
【請求項７】
タフト（６０，６２）のブリストルは、約５ミルから６ミル（１ミル＝０．０２５４ｍｍ）の直径を有し、タフト（６０，６２）当り約５０±４個から６０±４個のブリストルで、長いブリストルタフト（６０）は好ましくは短いブリストルタフト（６２）より太い厚さのブリストルから構成されることを特徴とする、請求項１乃至６のいずれか一項に記載のブラシ部。
【請求項８】
14個のブリストルタフト（６０，６２）が外部リング（５６）上に配列され、４個の隣接した短いブリストルタフト（６２）のクラスタ（７０）、３個の隣接した長いブリストルタフト（６０）のクラスタ（６８）、４個の隣接した短いブリストルタフト（６２）のクラスタ（７０）、および３個の隣接した長いブリストルタフト（６０）のクラスタ（６８）を備えることを特徴とする、請求項１乃至７のいずれか一項に記載のブラシ部。
【請求項９】
長いブリストルタフト（６０）と短いブリストルタフト（６２）のクラスタ（６４，６６）は各々、色が異なることを特徴とする請求項１乃至８のいずれか一項に記載のブラシ部。
【請求項１０】
長いブリストルタフト（６０）は、色付きインディケータブリストルで構成されることを特徴とする、請求項９記載のブラシ部。
【請求項１１】
中央リング（５４）上のタフト（７２，７４，７６）は、均一の長さのブリストルを含んでいることを特徴とする、請求項１に記載のブラシ部。
【請求項１２】
中央リング（５４）上のタフト（７２，７４）は、およそブリストル径５ミルから６ミルを備えた、長さが７．５ｍｍ±０．２ｍｍから０．５ｍｍのブリストルを有し、ブリストルは総計でタフト（７２，７４）当り５０±４個から６４±４個のブリストルの範囲にあることを特徴とする、請求項１に記載のブラシ部。
【請求項１３】
外部リング（５６）上の長いブリストルタフト（６０）に関し内側半径方向にある中央リング（５４）上の隣接したタフト（７４）は、色付きインディケータブリストルから構成されていることを特徴とする、請求項１１または１２に記載のブラシ部。
【請求項１４】
中央リング（５４）上のタフト（７６）は、外部リング（５６）上の隣接した長いブリストルタフト（６０）に関し半径方向において横にオフセットされていることを特徴とする、請求項１に記載のブラシ部。
【請求項１５】
オフセット量（７８，８０）は、タフト（７６）用取付けボア（８２）の直径の約０．５倍から１．５倍であることを特徴とする、請求項１４記載のブラシ部。
【請求項１６】
中央リング（５４）上のタフト（７６）は、およそ６ミルのブリストル径を備えた、８．０ｍｍ±０．２ｍｍから０．５ｍｍの長さのブリストルを有することを特徴とする、請求項１４または１５に記載のブラシ部。
【請求項１７】
中央リング（５４）上のタフト（７６）は、色付きインディケータブリストルから構成されていることを特徴とする、請求項１４乃至１６のいずれか一項に記載のブラシ部。
【請求項１８】
ブリストルキャリア（４４）の中心位置（５８）をほぼ横切って配列される少なくとも２つのタフト（８６）は、ブリストルキャリア（４４）の内部領域（８４）内に備えられていることを特徴とする、請求項１乃至１７のいずれか一項に記載のブラシ部。
【請求項１９】
ブリストルキャリア（４４）の内部領域（８４）内でタフトが内部リング（８８）上に配列されていることを特徴とする、請求項１８記載のブラシ部。
【請求項２０】
内部領域（８４）内のタフト（８６）のブリストルは、およそ６．５ｍｍから８ｍｍの長さ、各々が±０．２ｍｍから０．５ｍｍの変動値、およそ５ミルから６ミルの直径、約５０±４個から６４±４個のタフト（８６）当りの個数を有することを特徴とする、請求項１８または１９に記載のブラシ部。
【請求項２１】
ブリストルキャリア（４４）は、およそ４５Ｈｚから７０Ｈｚ±５Ｈｚの周波数、中心位置（５８）に関し約30度±１０度、ブリストルのふれ振幅が約±３．３ｍｍ、ブリストル速度が０．９ｍ/ｓから１．７ｍ/ｓの範囲、回転軸（５０）の回りを交互に振動運動するようになっていることを特徴とする、請求項１乃至２０のいずれか一項に記載のブラシ部。
【請求項２２】
ブリストルキャリア（４４）は、約１１５Ｈｚ±２０Ｈｚの周波数、中心位置（５８）に関し約±１１度±３度、ブリストルのふれ振幅が約０．５ｍｍから２．５ｍｍ、ブリストル速度が０．６ｍ/ｓから１．２ｍ/ｓの間、回転軸（５０）の回りを交互に振動運動するようになっていることを特徴とする、請求項１乃至２０のいずれか一項に記載のブラシ部。
【請求項２３】
ブリストルキャリア（４４）は、およそ直径１１ｍｍから１５ｍｍであることを特徴とする、請求項１乃至２２のいずれか一項に記載のブラシ部。
【請求項２４】
異なるブリストル長のタフト（６０，６２）間の長さの違いは、０．５ｍｍから１ｍｍの範囲であることを特徴とする、請求項１乃至２３のいずれか一項に記載のブラシ部。
【発明の詳細な説明】
本発明は、ブラシ部に接続可能なハンドル部と、ハンドル部から遠く離れたブラシ部端部に配列され、その上側に少なくとも１つの中央リング及び１つの外部リング上にブリストルタフトを配置させた、特に円盤状ブリストルキャリアであって、前記ブリストルキャリアはブラシ部に取り付けられ、ある回転軸の回りを、特に中心位置から交互に振動する様式で回転可能であり、前記回転軸は斜め（angularly）、特にブラシ部の中心縦軸に対し直角に調整されている、前記ブリストルキャリアと、を備えた電動歯ブラシ用ブラシ部に関する。
このタイプの電動歯ブラシ用ブラシ部は、国際特許出願ＷＯ ９１／０７１１６から知られている。この明細書では、ブリストルキャリアの外部リング及び中央リング上に配置されたタフトのブリストルは、全てがほぼ等しい長さになっている。これにより、使用者は特に歯の表面を一様に洗浄することができる。
国際特許出願ＷＯ ９４／２１１９２で開示されたような電動歯ブラシ用ブラシ部では、ブリストルキャリア上に配置されたタフトのブリストルの長さが異なっている。特に、この出願では、長いブリストルから成るタフトが外側リング内の外径に配列されるべき点が提案されている。その為、これら長いブリストルタフトにより使用者は特に根元間（interproximal）の隙間において、より良好な歯の洗浄操作を達成することができる。
前述したことを基礎に、本発明は、より一層改善された、歯、特に根元間の隙間を洗浄することができる、電動歯ブラシ用ブラシ部を提供することを目的とする。
この目的は、外部リングが長さの異なるブリストルを有するタフトと共に設置されるという、最初に述べたタイプのブラシ部で達成される。
試験してみると、ブリストルキャリアの外部リングにおいて、この長いブリストルタフトの配列が、特に有効であることが判明した。この配列で、特に良好な根元間洗浄操作が達成できる。これがそうであることは、歯科洗浄中、ブリストルキャリア上の短いブリストルタフトが歯の表面をサポートし、そのため、外側リング上の長いブリストルタフトが使用者の歯の間を完全に貫通できることから、推測される。この方式では、外部リング上の短いブリストルタフトが歯の表面を一様に洗浄すると同時に、外部リングの長いタフトは、根元間の隙間に徹底した洗浄動作を引き起こす。
本発明の更なる有利な展開において、４個の隣接した短いブリストルタフトのクラスタ、３個の隣接した長いブリストルタフトのクラスタ、４個の隣接した短いブリストルタフトのクラスタ、および３個の隣接した長いブリストルタフトのクラスタを備える、１４個のブリストルタフトが外部リング上に配列されている。その為、タフタの各クラスタは、外部リングのセクタ（a sector）を埋めている。この方式では、長短のブリストルタフトが、それぞれ、正反対に相対している円形のセクタに配置されている。その結果、長短のブリストルタフトは、対称的にブリストルキャリアの外側リング上に配置されている。これが、根元間の隙間を洗浄する為には特に有利な配列であることが証明されている。
この理由は、短いブリストルタフトが歯の表面上でブリストルキャリアを支持して洗浄している間、歯科洗浄において、２つのセクタ内に備え付けられた長いブリストルタフトが、洗浄の為に、ネックの両側部（either side）にある根元間の隙間を貫通することが可能である。
本発明の有利な実施態様では、ブリストルキャリアの中心位置において、長いブリストルタフトを備えたセクタが縦中心線に沿って配列され、短いブリストルタフトを備えたセクタはその縦中心線を横切って配列されている。これが、特に電動歯ブラシの操作にとって有利なことは証明済みである。使用者が、彼の歯を洗浄するために、電動歯ブラシをアゴの上部あるいは下部に対し、ほぼ平行に保持するとき、長いブリストルタフトは根元間の隙間に貫通し洗浄可能になる。
本発明の更なる有利な展開において、長さの異なるブリストルタフトまたはブリストルタフトのクラスタは色が異なっている。それらの上にかかる過酷な荷重の為、長いブリストルタフトが特に緑色や青色の色付きインディケータブリストルのブリストルから構成されると特に都合が良い。これにより、使用者は長いブリストルタフトと短いブリストルタフトとの視覚的区別を行うのが容易になる。これによって達せられる利点は、この視覚的印象によって、使用者が電動歯ブラシを適切に調整し、それによって、他の更なる行為（action）を必要とすることなく、長いブリストルを備えたタフトによる、記載された改善洗浄作用が達成される点である。
本発明の更なる有利な展開において、中央リング上のタフトは、外部リング上の短いブリストルタフトのブリストル長にほぼ対応した実質的に均一な長さのブリストルから構成されている。これにより、説明したように、歯の表面に支持を与えるために使用されるのは、外部リング上の短いブリストルタフトだけでなく、同様に、中央リング上の短いブリストルタフトになる。特に適切には、外部リング上の長いブリストルタフトに関し内側半径方向に横たわっている中央リング上の隣接したタフトが、特に緑色や青色ブリストルの、色付きインディケータブリストルから構成されている。
中央リング上および外側リング上の色付きタフトは、それにより、正反対に相対するウェッジを形成する。これが、電動歯ブラシの、その使用者による機械的に正しい位置決めの視覚的効果を更に高める。
本発明の更なる有利な展開において、少なくとも２つの短いブリストルタフトはブリストルキャリアの内部領域に備え付けられており、それらの配列は、好ましくはブリストルキャリアの中心位置に対し約９０度になっている。これらは、外部リング及び中央リング上の短いブリストルタフトとして、歯の表面上のブリストルキャリアを更に支持するために役立つ。
本発明の更なる特徴、利点および応用の可能性は、添付図面で詳しくに図示された実施例の以下の説明から明らかになるであろう。説明又は／及び図により代表された、どのような単一特徴や単一特徴のいかなる有意味な組み合わせであっても、それらクレームの概要およびそれらの背景技術（back-reference）に関わりなく、本発明の主題を形成するものである。図面において、
図１は、電動歯ブラシの概略側面図である。
図２は、図１の電動歯ブラシ用ブリストルキャリアの第１実施例を図示するブリストルの概略平面図である。
図３は、図１の電動歯ブラシ用ブリストルキャリアの第２実施例を図示するブリストルの概略平面図である。
図４は、図１の電動歯ブラシ用ブリストルキャリアの第３実施例を図示するブリストルの概略平面図である。
図５は、図１の電動歯ブラシ用ブリストルキャリアの第４実施例を図示するブリストルの概略平面図である。
図１を参照して、参照番号２０は電動歯ブラシを示す。電動歯ブラシ２０は、ハンドル部２２、それに結合するようになっているブラシ部２４から構成される。ハンドル部２２は、二次バッテリ２６、又は選択的に、一次バッテリ、電気モータ２８及び連続した電気モータ２８の回転運動を振動運動に変換する為の運動変換機構３０を収容している。ハンドル部２２の外側に備え付けられているのは、歯ブラシを作動させるスイッチ３２である。ブラシ部２４は、シャフト３４を受容する中空取付け管３６を含む。取付け管３６とシャフト３４は、結合手段４０によってハンドル部２２と結合可能になっている。ハンドル部２２から遠く離れたブラシ部２４の端部に配列されているのは、ブリストル４８又はブリストルタフト４６を受容するブリストルキャリア４４を備えたブラシ３８である。シャフト３４の端部にあるベベルギア装置４２は、ブラシ３８を振動運動させる。この運動中のブリストルキャリア４４によって掃きのけられた角度範囲は、好ましくは約３５度±５度のオーダーであるが、可能な範囲は±１０度から±１００度である。振動周波数は、１０Hzから１００Hzでもよいが、およそ、好ましくは４０Hzから７０Hzである。ブリストルキャリア４４の回転軸５０は、シャフト３４の回転軸５２と共に、約９０度の角度を形成する。図１の歯ブラシは、出願人の国際特許出願WO 91/07116に詳細に説明されており、これは、本願の開示内容に明示の参照によって組み込まれる。
図２から図５は、個々のタフト４６又はブリストル４８の配列、外観および選択について互いに異なるブリストルキャリア４４の４つの実施例を図示する。概略的に図２から図５に示されているのは、シャフト３４の回転軸５２と同様に取付け管３６であり、この軸は、取付け管３６、従って、ブラシ部２４の縦中心線とほぼ同心になっている。ブリストルキャリア４４の回転軸５０は、図２から図５の中心に図示されている。ブリストルキャリア４４は、直径およそ１１ｍｍから１５ｍｍ、およそ好ましくは１２ｍｍの円形プレートとして実質的に形成されている。タフト46又はブリストル４８は、中央リング５４、外部リング５６上または内部領域８４又は内部リング８８内のブリストルキャリア４４の上側部上に配列されており、それらは全てブリストルキャリア４４の回転軸５０とほぼ同心になっている。図２から図５の描写は、中央位置５８、すなわち、ブリストルキャリア４４が±３５度の振動回転運動において０度を通過するときブリストルキャリア４４により占有される位置のブリストルキャリア４４を図示している。
第１実施例である図２のブリストルキャリアにおいて、全部で１４個のタフト６０，６２は外部リング５６上に配置されており、中央リング５４は全部で１０個のタフト７２，７４を有し、内部領域８４は２個のタフト８６を有する。
外部リング５６上の隣接タフト６０，６２は、４つのクラスタ６４，６６に組み合わされるか小分けされている。クラスタ６４は、縦中心軸５２に対し対称的に配置され、およそ８０度の中心角でセクタ６８にわたって延びている。クラスタ６４は２つあり、縦中心線５２に対し９０度で回転軸５０を通って伸びた仮想横軸の両側に対称的に配置されている。その為、２つのクラスタ６４に伴うセクタ６８は、縦中心線５２に合わせて、ほぼ長手方向に伸びている。前記横軸に対して対称的に配置され、およそ１００度の中心角でセクタ７０にわたって延びている４つのタフト６２から、クラスタ６６は構成されている。クラスタ６６は２つあり、縦中心線５２の両側に対称的に配置されている。その為、これら２つのクラスタ６６を伴うセクタ７０は、縦中心線５２に対して横切る方向に伸びている。
外部リング５６上のクラスタ６４のタフト６０は、約８．２ｍｍ±約０．２ｍｍから０．５ｍｍの長いブリストルを備えている。外部リング５６上のクラスタ６６のタフト６２は、約７．５ｍｍ±約０．１から約０．５ｍｍの短いブリストルを備えている。両方のクラスタ６４，６６のタフト６０，６２の長短ブリストルは、およそ直径約６ミル（０．１５２４ｍｍ）になっている。両方のクラスタ６４，６６のタフト６０，６２は、約５４±４個のブリストルから構成されている。ブリストルキャリア４４におけるタフト６０，６２の取付けボア８２のボア径は、およそ１．５ｍｍである。
タフト６０の長いブリストルおよびタフト６２の短いブリストルは色が異なる。これは、特に色付きインディケータブリストルにより達成され、例えば、緑色や青色の、この種のブリストルは、タフト６０の長いブリストルとして用いられる。
中央リング５４上の10個のタフト７２，７４は、各２個のタフト７４が２つのセクタ６８、各３個のタフト７２が２つのセクタ７０に伴うように配列されている。この配列において、中央リング５４上の２個のタフト７４は、外部リング５６上の隣接した長いブリストルタフト６０に関して半径方向内側に置かれている。
中央リング５４上のタフト７２，７４のブリストルは、全て、外部リング５６上のタフト６２の短いブリストルの長さにほぼ相当する均一な長さ、すなわち、約７．５ｍｍ±約０．１から０．５ｍｍになっている。それらのブリストルの直径は、およそ約６ミル（１ミル＝０．０２５４ｍｍ）である。約５４±４個のそのようなブリストルは、結合されてタフト７２，７４の一つを形成する。ブリストルキャリア４４内にあるタフト７２，７４の取付けボア８２のボア径は、およそ１．５ｍｍである。内部領域84内の２つのセクタ６８の領域には、タフトがない。
従って、図２の第１実施例では、２つのセクタ７０の領域における全てのタフト６２，７２，８６は、ほぼ類似の長さ及びほぼ類似の径のブリストルを備えている。対照的に、２つのセクタ６８の領域において、外部リング５６内のタフト６０は、中央リング５４内のタフト７４よりも長いブリストルを有する。さらに、２つのセクタ６８内のタフト６０，７４は、２つのセクタ７０内のタフト６２，７２，８６とは色が異なる。
図３の第２実施例において、図２の第１実施例との唯一の違いは、２つのセクタ７０の領域において、外部リング56上のタフト６２が中央リング５４上および内部領域８４内のタフト７２，８６のブリストルより大きい径のブリストルを有する点にある。以前と同様、タフト６２のブリストルの直径はおよそ６ミルになっており、一方、タフト７２，８６のブリストルの直径はおよそ５ミルになっている。そのため、タフト７２，８６に対する取付けボア８２のボア径は、およそ１．３ｍｍに過ぎず、タフト７２，８６当りのブリストルは総計でほぼ６０±４個になる。タフト６２，７２，８６のブリストルの長さは、変わらず、約７．５ｍｍ±０．１ｍｍから０．５ｍｍのままである。
図４の第３実施例において、図２の第１実施例との唯一の違いは、２つのセクタ７０の領域において外部リング５６上および内部領域のタフトの全てがセクタ６８内のタフト６０のブリストルより小さい直径のブリストルを有する点にある。タフト６２，７２，８６のブリストルの直径は、およそ５ミルである。タフト６２，７２，８６の取付けボア８２のボア径は、およそ１．３ｍｍであり、タフト６２，７２，８６当りのブリストルは、総計でほぼ６０±４個になる。タフト６２，７２，８６のブリストルの長さは、変わらず、約７．５ｍｍ±０．１ｍｍから０．５ｍｍのままである。
図５のブリストルキャリアの第４実施例において、全部で１６個のタフト６０，６２は、外部リング56上に配列されており、全部で１８個のタフト７６が中央リング５４上にあり、４又は５個のタフト８６が内部領域８４内に配列されている。
外部リング５６上のタフト６０，６２は、交互の長短ブリストルタフトである。タフト６０の長いブリストル長約８．０ｍｍ±０．１ｍｍから０．５ｍｍであるが、タフト６２の短いブリストル長約７．０ｍｍ±０．１ｍｍから０．５ｍｍである。長いブリストルタフト６０のブリストル径は、およそ６ミルであり、短いブリストルタフトのブリストル径は、およそ５ミルである。長いブリストルタフト６０は、各々が約５４±４個のブリストルから構成されており、短いブリストルタフト６２は、タフト６２当り約６０±４個のブリストルを有する。ブリストルキャリア４４における長いブリストルタフト６０用の取付けボア８２のボア径は、約１．５ｍｍであり、短いブリストルタフト６２用のものは、約１．３ｍｍである。
中央リング５４上のタフト７６は、外部リング５６上の長いブリストルタフト６０に対応した均一長のブリストルを有する。したがって、タフト７６は、タフト７６当り約５４±４個の、ブリストルキャリア４４におけるタフト７６用取付けボア径が約１．５ｍｍのブリストルを有し、およそ６ミルのブリストル径を備えた約８．０ｍｍ±０．１ｍｍの長さのブリストルを有する。
中央リング54上のタフト７６は、外部リング５６上の隣接した長いブリストルタフト６０に関し半径方向において横にオフセットされている。オフセット量７８，８０は、タフト７６用取付けボア８２の直径の約０．５から１．５倍である。
内部領域８４には内部リング８８があり、その上には４つのタフト８６が約９０度の間隔を開けて円周上に配置されている。さらに、内部リング８８上の４つのタフト８６は中央リング５４上の８個のタフト７６の間に相互に配置されている。
更なる可能性は、ブリストルキャリア４４の中心に第５のタフト８６を配列している点である。
タフト８６は、外部リング５６上の短いブリストルタフト６２の長さにほぼ対応した均一長のブリストルを有する。その為、タフト８６の長さは約７．０ｍｍ±０．１ｍｍから０．５ｍｍになっており、およそ５ミルのブリストル径を有する。タフト８６当りのブリストルの数は約６０±４個であり、タフト８６用取付けボア８２のボア径は約１．３ｍｍである。
外部リング５６上の長いブリストルタフト６０および中央リング５４上の長いブリストルタフト７６は、外部リング５６上の残りのタフト６２および内部領域８４内のタフト８６とは色が異なる。これは、例えばタフト６０，７６用の青色や緑色のブリストルなど、特に色付きインディケータブリストルにより達成することができる。
説明されたブリストルキャリア４４の実施例は、同様に説明された電動歯ブラシ２０との組み合わせにおいて様々な方法で実施されてもよい。そのため、ブリストルキャリア４４を、約６２Ｈｚの周波数で回転軸５０の回りに交互振動運動させることが可能である。振動角度は中心位置５８に対し約±３０度±５から１０度、ブリストルのふれ振幅は約±３から４ｍｍ、ブリストル速度は好ましくはおよそ０．５ｍ/ｓから２ｍ/ｓの間、好ましくは０．９ｍ/ｓから１．７ｍ/ｓの範囲、特に約１．３ｍ/ｓになっている。例えば約４７Ｈｚ±５Ｈｚの周波数でブリストルキャリア４４を操作し、その結果、他の値を変えずに約０．９ｍ/ｓのブリストル速度にすることにより、この可能性が異なってもよい。他の可能性は、ブリストルキャリア４４を約１１５Ｈｚ±２０Ｈｚの周波数にて回転軸５０回りの交互振動運動させることを伴う。この場合、振動角度は、中心位置５８に対し約±１１度±３度、ブリストルのふれ振幅は約±０．５ｍｍから２．５ｍｍ、好ましくは約１ｍｍから１．２ｍｍ、ブリストル速度はおよそ０．６ｍ/ｓから１．２ｍ/ｓの範囲、好ましくは約０．９ｍ/ｓになっている。さらに、ブリストルキャリア４４を駆動する可能性は上記数値の組合せから成り、上記数値の組合せは、これら組合せの幅広い多様性を何ら限定するものではない。
【図１】
0003936395.tif 000002
【図２】
0003936395.tif 000003
【図３】
0003936395.tif 000004
【図４】
0003936395.tif 000005
【図５】
0003936395.tif 000006